(57)【要約】【課題】薬剤包装装置をクリーンベンチ等へ容易に搬入搬出できるほど小形化する。【解決手段】基本ユニット１０は、薬剤分配用区画をなす開口１６の囲繞枠１５を上面１４に装備した本体部１１と、その上に装着された開閉可能な蓋部１２と、薬剤分配用区画に一対一の対応配置で蓋部１２の開閉面１７に装備された複数の発熱体２３と、蓋部１２の閉操作に応じて発熱体２３に対してヒートシールに適した電気を流す通電手段とを備え、薬剤分配用区画を一行分だけにし、囲繞枠１５の開口１６も加熱部２０の開口２２及び発熱体２３も一行分だけにする。付加ユニット３０は、本体部１１を自在に着脱しうる台座部３１と、分包紙４０に係る送り機構３２，３７および印刷手段３５とを備える。【選択図】        図１
2011088634.tif 000002
【特許請求の範囲】
【請求項１】
上面に薬剤分配用区画の囲繞枠を装備した本体部と、この本体部の上に装着された開閉可能な蓋部と、前記薬剤分配用区画に一対一の対応配置で前記蓋部の開閉面に装備された複数の発熱体と、前記蓋部の閉操作に応じて前記発熱体に対してヒートシールに適した電気を流す通電手段とを備えた薬剤包装装置において、前記薬剤分配用区画が一行分だけであり、それに対応して前記囲繞枠も前記発熱体も一行分だけ装備されていることを特徴とする薬剤包装装置。
【請求項２】
前記本体部を自在に着脱しうる台座部と、これに装着されていて分包紙に対する印刷を行う印刷手段とを備えたことを特徴とする請求項１記載の薬剤包装装置。
【発明の詳細な説明】
【技術分野】
【０００１】
この発明は、手で持って運べる可搬型の薬剤包装装置に関し、詳しくは、手動開閉しながら分包紙のセットやヒートシールを行う手動式の薬剤包装装置に関する。
【背景技術】
【０００２】
従来の可搬型の薬剤包装装置は、上面に薬剤分配用区画の囲繞枠を装備した本体部と、この本体部の上に装着された開閉可能な蓋部と、前記薬剤分配用区画に一対一の対応配置で前記蓋部の開閉面に装備された複数の発熱体と、前記蓋部の閉操作に応じて前記発熱体に対してヒートシールに適した電気を流す通電手段とを備えている。そして、手動で、蓋部を開けて、本体部の上面の囲繞枠の上に一枚の分包紙を載せ、その上から薬剤分配用区画に合わせて薬剤を分配し、その上にもう一枚の分包紙を載せてから、蓋部を閉めると、二枚の分包紙が発熱体によって熱融着されて、薬剤が分包されるようになっている。なお、薬剤分配用区画は、７行３列や４行３列などのマトリクス状配置になっている。
【０００３】
また、二枚の長尺分包紙を熱融着にて区分しながら各包分の薬剤を投入することで薬剤分包を次々に行う自動の薬剤包装装置も実用化されているが（例えば特許文献１参照）、これには分包紙の送り機構や印刷機構も組み込まれており、これは小形化しても今のところは卓上型にとどまっている。
なお、洗浄パスボックスの付いたクリーンベンチも実用化されており（例えば特許文献２参照）、これは、クリーンルームより小規模でコストがかからず場所もとらず而も使い易いので、調剤作業環境の改善意識の高まりもあって、需要が増えている。
【先行技術文献】
【特許文献】
【０００４】
【特許文献１】特開２００５−０５３５３８号公報
【特許文献２】特開２００４−１８３９５１号公報
【発明の概要】
【発明が解決しようとする課題】
【０００５】
そして、そのようなクリーンベンチやクリーンブースといった小形クリーンユニット内での調剤作業においても、薬剤の調合にとどまらず、薬剤包装装置を用いて包装紙での分包まで済ませてしまいたい、というニーズがときどき生じる。
しかしながら、上述した従来の薬剤包装装置では、クリーンベンチ等の小形クリーンユニット内での使用が考慮されていなかったことから、卓上型はもとより可搬型であっても洗浄パスボックスより大きい。
【０００６】
このため、洗浄パスボックスを利用して簡便かつ迅速に薬剤包装装置を出し入れすることができない。作業者の出入り口がある場合でも、作業者の出入り口から出し入れしたのでは、その度にベンチ内作業を中断して空気清浄度の回復を長時間に亘って待たなければならないし、小形クリーンユニット内に薬剤包装装置を常設するのは、貴重な空間が占有され続けるので薬剤包装装置の使用頻度がかなり高いときに限られる。
そこで、薬剤包装装置をクリーンベンチ等へ容易に搬入搬出できるほど小形化することが技術的な課題となる。
【課題を解決するための手段】
【０００７】
本発明の薬剤包装装置は（解決手段１）、このような課題を解決するために創案されたものであり、上面に薬剤分配用区画の囲繞枠を装備した本体部と、この本体部の上に装着された開閉可能な蓋部と、前記薬剤分配用区画に一対一の対応配置で前記蓋部の開閉面に装備された複数の発熱体と、前記蓋部の閉操作に応じて前記発熱体に対してヒートシールに適した電気を流す通電手段とを備えた薬剤包装装置において、前記薬剤分配用区画が一行分だけであり、それに対応して前記囲繞枠も前記発熱体も一行分だけ装備されていることを特徴とする。
【０００８】
また、本発明の薬剤包装装置は（解決手段２）、上記解決手段１の薬剤包装装置であって、前記本体部を自在に着脱しうる台座部と、これに装着されていて分包紙に対する印刷を行う印刷手段とを備えたことを特徴とする。
【発明の効果】
【０００９】
このような本発明の薬剤包装装置にあっては（解決手段１）、薬剤分配用区画を一行分に絞り込んで、囲繞枠や発熱体の装備が一行分だけで済むようにしたことにより、片手でも楽に持ち運べるほど小形かつ軽量になって、薬剤容器や調剤器具などの小物を対象とした洗浄パスボックスを介して無理なく容易にクリーンベンチ等へ搬入搬出することができる。それほど小形になったので、クリーンベンチ外でも容易に持ち運ぶことができる。
【００１０】
また、本発明の薬剤包装装置にあっては（解決手段２）、印刷手段も備えて分包紙に薬品名などを印刷することができるが、印刷手段まで装備するとその分だけ大きくなって小形化の利点が損なわれかねないところ、印刷手段を装着した台座部に対して本体部が自在に着脱されるようにしたことにより、基本的な分包機能部と付加的な印刷機能部とを分割すれば夫々が片手で楽に持ち運べるほど小形なので洗浄パスボックスを介して容易にクリーンベンチ等へ搬入搬出することができる。印刷不要時には分包機能部だけの出し入れで済ませることができ、クリーンベンチ外では分割運搬でも一括運搬でも好きに行える。
【図面の簡単な説明】
【００１１】
【図１】本発明の実施例１について、薬剤包装装置の構造を示し、（ａ）が拡張機能付き薬剤包装装置の正面図、（ｂ）が基本ユニット（基本的な分包機能部）の外観斜視図、（ｃ）が付加ユニット（付加的な印刷機能部など）の外観斜視図、（ｄ）が基本ユニットと付加ユニットとの分離状態を示す正面図である。
【図２】加熱部の外観斜視図であり、（ａ）が表面側、（ｂ）が裏面側を示している。
【図３】基本ユニットの外観斜視図であり、（ａ）が閉状態、（ｂ）が開状態を示している。
【図４】拡張機能付き薬剤包装装置の外観斜視図であり、（ａ）が分離状態かつ閉状態、（ｂ）が結合状態かつ閉状態、（ｃ）が結合状態かつ開状態を示している。
【発明を実施するための形態】
【００１２】
このような本発明の薬剤包装装置について、これを実施するための具体的な形態を、以下の実施例１により説明する。
なお、それらの図示に際しては、簡明化等のため、ボルト等の締結具や，ヒンジ等の連結具，電動モータ等の駆動源，タイミングベルト等の伝動部材，モータドライバ等の電気回路，コントローラ等の電子回路などは図示を割愛し、発明の説明に必要なものや関連するものを中心に図示した。
【実施例１】
【００１３】
本発明の薬剤包装装置の実施例１について、その具体的な構成を、図面を引用して説明する。図１は、（ａ）が基本ユニット１０に加えて付加ユニット３０も具備した拡張機能付き薬剤包装装置１０＋３０の正面図、（ｂ）が基本的な分包機能部である基本ユニット１０の外観斜視図、（ｃ）が印刷機能部などの拡張機能部を具備した付加ユニット３０の外観斜視図、（ｄ）が基本ユニット１０と付加ユニット３０との分離状態を示す正面図である。また、図２は、加熱部２０の外観斜視図であり、（ａ）が表面側、（ｂ）が裏面側を示している。
【００１４】
この拡張機能付き薬剤包装装置１０＋３０は（図１参照）、単体でも使用される基本ユニット１０（基本機能のみの薬剤包装装置）と、基本ユニット１０を連結されてその機能を拡張する付加ユニット３０とからなり、付加ユニット３０の台座部３１の上面に基本ユニット１０の本体部１１の下面を載せて両者１０，３０を着脱しうるものである。その着脱手段は、図示は割愛したが、例えばフックやロック等を利用したワンタッチ係合にて、両者１０，３０の着脱を自在に行えるものであり、例えば位置決めピンや嵌合溝などを利用して簡単かつ迅速に位置合わせも行えるようにもなっている。
【００１５】
基本ユニット１０は、付加ユニット３０への着脱手段を備えた角箱状の本体部１１と、本体部１１の上にヒンジ等で装着されて開閉可能になっている蓋部１２とを具えたものであり、蓋部１２の上面には把手１３が装着されており、蓋部１２の開閉面１７には加熱部２０が装着されている。また、本体部１１の内部には図示しない電源やパルス電流発生回路が収容されており、本体部１１の外側面のうち正面には電源スイッチや動作状態表示ランプなどが外装されており、蓋部１２にて開閉される本体部１１の上面１４には、囲繞枠１５が装備されている。囲繞枠１５には、薬剤分配用区画をなす開口１６が一行分だけ例えば３個ほど形成されている。開口１６は、例えばプレス打ち抜きやフライス切削などで形成され、本体部１１の上面１４で囲繞枠１５に囲まれて浅い凹みになっている。
【００１６】
加熱部２０は（図１（ｂ），図２参照）、電気絶縁性素材の一枚物からなり開口２２が形成されている支持板２１と、支持板２１の表面側に装着された複数の発熱体２３とからなり、支持板２１の裏面側を蓋部１２の開閉面１７に密着させた状態で蓋部１２に取り付けられている。開口２２は、上述した囲繞枠１５の開口１６と同数だけ例えば支持板２１成形時の型抜きや成形後の打ち抜き等で形成されていて、蓋部１２を閉めると対向する開口１６と重なり合うようになっている。発熱体２３は、例えばニクロムの線材や薄板材からなり、開口２２より一回り大きな長方形に形成され、容易に交換できるよう四つ角部・四隅部がネジ止めされ、開口２２を取り囲むようにして各開口２２に一つずつ配設されている。これにより、複数の発熱体２３は、薬剤分配用区画に一対一の対応配置で蓋部１２の開閉面１２に装備されたものとなっている。
【００１７】
また、薬剤分配用区画が一行分だけであることに対応して、囲繞枠１５と同様に、発熱体２３も一行分だけが装備されている。さらに、両端の発熱体２３の一角部には給電端子２４が接続され、隣り合う発熱体２３同士が一角部を電気導体の接続部２５で繋がれている。給電端子２４や接続部２５は各発熱体２３についてその対角に位置している。給電端子２４には、上述したパルス電流発生回路から出た給電線が接続されていて、蓋部１２を閉じると、その閉操作に応じてパルス電流発生回路から分包紙のヒートシールに適したパルス電流が出力され、その電気が一方の給電端子２４と発熱体２３と接続部２５と発熱体２３と接続部２５と発熱体２３と他方の給電端子２４を流れるようになっている。
【００１８】
付加ユニット３０は（図１参照）、台座部３１のうち、台座部３１に基本ユニット１０を装着したとき基本ユニット１０の一端（図では左端）の直ぐ先に位置する部位に、分包紙ロール４０を保持する分包紙保持部３２と、インクリボン保持部３６と共にインクリボン供給機構をなすインクリボン巻取部３３と、ヘッド操作ロッド３４の操作に応じて印刷位置と退避位置とを移動し印刷位置で分包紙に対する印刷を行うプリントヘッド３５と、プリントヘッド３５との間に分包紙とインクリボンを挟んで印刷動作を補助するプラテン３７とを具えている。プラテン３７は分包紙保持部３２と共に分包紙送り機構をなす兼用部材となっているが、分包紙送りローラ等を設けて専用化しても良い。
【００１９】
台座部３１の内部には、図示しない分包紙送り駆動用モータや印刷制御用電子回路などが収容されており、例えば無線通信やＵＳＢメモリ装着などで薬剤情報等の印刷情報が取得され、電源スイッチや前処理スイッチ等の操作に応じて分包紙４１＋４２の送り出しとそれへの印刷が一行分だけ行われるようになっている。
なお、分包紙ロール４０は、長尺な二枚の下側分包紙４１と上側分包紙４２とを重ねて巻いた消耗品であり、分包紙４１＋４２は、同質の二枚組でも良く、目視監査に適した透明な分包紙と印刷に適した半透明な分包紙との組でも良い。
【００２０】
この実施例１の拡張機能付き薬剤包装装置１０＋３０について、その使用態様及び動作を、図面を引用して説明する。図３は、基本ユニット１０の外観斜視図であり、（ａ）が閉状態、（ｂ）が開状態を示している。また、図４は拡張機能付き薬剤包装装置１０＋３０の外観斜視図であり、（ａ）が分離状態かつ閉状態、（ｂ）が結合状態かつ閉状態、（ｃ）が結合状態かつ開状態を示している。
【００２１】
先ず（図３参照）、基本的な分包機能さえ果たせれば足りる場合は、基本機能のみの薬剤包装装置である基本ユニット１０を使用する。すなわち、基本ユニット１０を付加ユニット３０から外して、単体の状態で基本ユニット１０を使用する。
その際、使用に先だって基本ユニット１０を手に持って運搬したり、洗浄パスボックスを通してクリーンベンチ等の小形クリーンユニットから出し入れしたりするときは、蓋部１２を閉めて小さくなった状態で行う（図３（ａ）参照）。
【００２２】
そして、手作業で分包するときは、先ず蓋部１２を開けて（図３（ｂ）参照）、本体部１１の上面１４の囲繞枠１５の上に一枚の下側分包紙４１を載せる。さらに、薬剤分配用区画をなす三つの開口１６のところに下側分包紙４１の上から薬剤を分配し、その上にもう一枚の上側分包紙４２を載せる。それから、分包紙４１＋４２がずれたりしないようゆっくり蓋部１２を閉める。そうするとその閉操作に応じて一回だけパルス電流が三つの発熱体２３に流れ、発熱体２３に加熱されて二枚の分包紙４１＋４２が熱融着して、薬剤が三包に区分包装される。後は蓋部１２を開けて分包済み分包紙を取り出せば、一回の分包作業が終了するので、必要なだけ分包作業を繰り返す。
【００２３】
次に（図４参照）、印刷機能や分包紙送り機能といった拡張機能までも求める場合は、拡張機能付き薬剤包装装置１０＋３０を使用する。すなわち、基本ユニット１０に加えて、基本ユニット１０を着脱自在な付加ユニット３０も使用する。
そして、使用に先だって拡張機能付き薬剤包装装置１０＋３０を手に持って運搬したり、洗浄パスボックスを通してクリーンベンチ等から出し入れしたりするときは、基本ユニット１０と付加ユニット３０とを分離させて（図４（ａ）参照）、一つずつ行う。また、基本ユニット１０については、蓋部１２を閉めて小さくなった状態で行う。
【００２４】
そして、使用場所で付加ユニット３０に基本ユニット１０を装着して、拡張機能付き薬剤包装装置１０＋３０を一体的に組み上げてから使用する（図４（ｂ）参照）。印刷情報の取り込みも先行実施しておくが、印刷情報は必要に応じて随時更新する。
それから、手作業で分包するときは、蓋部１２を開けるとともに（図４（ｃ）参照）、電源スイッチや前処理スイッチ等を操作して付加ユニット３０に分包紙４１＋４２の送り出しと印刷を行わせる。そうすると、付加ユニット３０から基本ユニット１０の方へ一行分の印刷済み分包紙４１＋４２が繰り出される。
【００２５】
繰り出された分包紙４１＋４２は、下側分包紙４１と上側分包紙４２とに分かれるので、先ず下側分包紙４１だけを本体部１１の上面１４の囲繞枠１５の上に載せ、上側分包紙４２はよけておく。それからは、上述した基本ユニット１０の単体使用時と同様、薬剤分配用区画をなす三つの開口１６のところに下側分包紙４１の上から薬剤を分配し、その上に上側分包紙４２を載せて、分包紙４１＋４２がずれたりしないようゆっくり蓋部１２を閉める。そうすると、その閉操作に応じてやはりパルス電流の通電と発熱体２３の加熱と分包紙４１＋４２の熱融着とが自動実行されて、薬剤が三包に区分包装される。
こうして、基本ユニット１０ばかりか拡張機能付き薬剤包装装置１０＋３０も、手軽に運ばれ、クリーンベンチ等には洗浄パスボックスを通して容易かつ迅速に出し入れされる。また、狭いところで使用しても使い易いうえ邪魔にならない。
【００２６】
［その他］
上記実施例では、分包紙にミシン目を入れるようになっていなかったが、分包紙にミシン目を形成するようにしても良く、例えば隣り合う発熱体２３の中間にミシン目カッターを配置して支持板２１に取り付ける等のことでミシン目の形成を分包作業に随伴実施させることができる。
また、上記実施例では、分包紙ロール４０が二枚の下側分包紙４１と上側分包紙４２とを重ねて巻いたものであったが、分包紙ロール４０は、それに限られる訳でなく、下側分包紙４１を巻いたロールと上側分包紙４２を巻いた別体のロールとに分かれていても良く、あるいは、ロール形状と票式形状の分包紙とを組み合わせたもので良く、例えば、上側分包紙４２は、ロール形状のままとし、下側分包紙４１には、加熱部２０の幅を超える幅を持った単票式形状の分包紙を用いるようにしても良い。
【産業上の利用可能性】
【００２７】
本発明の薬剤包装装置は、洗浄パスボックスを通してクリーンベンチ等から出し入れできるほどに小形化して可搬性を高めたものであるが、使用先がクリーンユニット内に限られる訳でなく、クリーンユニット外でも、調剤台上での使用や、調剤棚の中への収納など、各種態様で使用することができる。
【符号の説明】
【００２８】
１０…基本ユニット（薬剤包装装置）、
１１…本体部、１２…蓋部、１３…把手、１４…上面、
１５…囲繞枠、１６…開口（薬剤分配用区画）、１７…開閉面、
２０…加熱部、２１…支持板、２２…開口（薬剤分配用区画）、
２３…発熱体、２４…給電端子（通電手段）、２５…接続部（通電手段）、
３０…付加ユニット、
３１…台座部、３２…分包紙保持部、３３…インクリボン巻取部、
３４…ヘッド操作ロッド、３５…プリントヘッド（印刷手段）、
３６…インクリボン保持部、３７…プラテン（分包紙送り機構）、
４０…分包紙ロール、４１…下側分包紙、４２…上側分包紙
【図１】
2011088634.tif 000003
【図２】
2011088634.tif 000004
【図３】
2011088634.tif 000005
【図４】
2011088634.tif 000006